(57)【要約】【課題】梯子等を必要とすることなく、かつ、巻上機と制御手段との保守を安全に行うことのできるエレベータ装置の提供。【解決手段】ピット８ａに、乗かご１とつり合いおもり２とを駆動する巻上機４と、この巻上機４を制御する制御装置１０とを近接して配置し、これら巻上機４と制御装置１０の下方に、これら巻上機４と制御装置１０の保守時用いられる点検作業台９を備え、保守作業員は、点検作業台９に乗り込み、これを足場として巻上機４及び制御装置１０それぞれの保守を行うようになっている。【選択図】図１
2005104660.tif 000002
【特許請求の範囲】
【請求項１】
昇降路内を昇降する乗かごと、この乗かごに連動し上記乗かごの移動方向と反対の方向に昇降するつり合いおもりと、上記乗かごと上記つり合いおもりとを懸架する主索と、上記昇降路内に形成されるピットの上方位置に設けられ、上記乗かごとつり合いおもりとを駆動する巻上機と、この巻上機を制御する制御装置とを有するエレベータ装置において、
上記巻上機と上記制御装置とを近接して配置するとともに、これら巻上機と制御装置の下方に、これら巻上機と制御装置の保守時に用いられる１つの点検作業台を備えたことを特徴とするエレベータ装置。
【請求項２】
上記請求項１記載の発明において、上記点検作業台を、折り畳み可能としたことを特徴とするエレベータ装置。
【請求項３】
上記請求項１記載の発明において、上記巻上機を上記ピットに固定された巻上機固定台上に設け、この巻上機固定台に空所を形成し、この空所内に上記点検作業台を折り畳み収納することを特徴とする請求項１記載のエレベータ装置。
【請求項４】
上記請求項３記載の発明において、上記点検作業台は、保守作業員が乗る足場となる踏板と、この踏板と上記巻上機固定台とを連結する受け材と、上記踏板にかかる荷重を支持する支え棒とから成ることを特徴とする請求項３記載のエレベータ装置。
【請求項５】
上記請求項３記載の発明において、上記巻上機固定台に、上記点検作業台の収納を検知するスイッチを設けるとともに、このスイッチが未検知であることに応じて上記乗かごの平常運転を阻止することを特徴とするエレベータ装置。
【発明の詳細な説明】
【技術分野】
【０００１】
本発明は、昇降路下方に配置された巻上機及びこの巻上機を制御する制御装置の保守作業をするのに好適なエレベータ装置に関する。
【背景技術】
【０００２】
近時、機械室レスのエレベータが一般的に用いられるようになっている。このエレベータでは、乗かごやつり合いおもりを駆動する巻上機を昇降路上部の昇降路壁面に設置したり、昇降路下方に形成されるピットに設置したりするものが一般的であった。しかし、昇降路上部の壁面に設置するものは、巻上機の保守が困難であるという問題があり、一方、ピットに設置するものは、グランドレベルに近接した高さ位置、或いはそれを下回る高さ位置にピットが形成されるという構造上、防水対策が必要であるという問題があった。
【０００３】
この問題を解決するため、従来技術としてピットに巻上機固定台を設置し、この巻上機固定台上に薄型の巻上機を設けるものが採用されるようになっている（特許文献１参照）。一方、上記巻上機を制御する制御装置も薄型にし、昇降路壁の適宜箇所に固定して配置していた。
【０００４】
そして、上記巻上機と上記制御装置の保守作業は、両者が離れた位置に設けられていることから、個別に梯子等をピット内に立てかけて行われていた。
【特許文献１】特開２００１−２２６０５６号公報(段落番号０００５、図１)
【発明の開示】
【発明が解決しようとする課題】
【０００５】
上記従来技術においては、巻上機と制御装置の保守作業時、梯子等を用いて行っていたためその作業が不安定であるという問題があった。また、巻上機と制御手段の両者の保守が必要になった場合、梯子を移動し、再度架け替えてから作業をしなければならず、狭いピット内での移動を伴う煩わしい作業となっていた。
【０００６】
本発明の目的は、梯子等を必要とすることなく、かつ、巻上機と制御装置との保守を安全に行うことのできるエレベータ装置を提供することにある。
【課題を解決するための手段】
【０００７】
上記目的を達成するために、本発明は、昇降路内を昇降する乗かごと、この乗かごに連動し上記乗かごの移動方向と反対の方向に昇降するつり合いおもりと、上記乗かごと上記つり合いおもりとを懸架する主索と、上記昇降路内に形成されるピットの上方位置に設けられ、上記乗かごとつり合いおもりとを駆動する巻上機と、この巻上機を制御する制御装置とを有するエレベータ装置において、上記巻上機と上記制御装置とを近接して配置するとともに、これら巻上機と制御装置の下方に、これら巻上機と制御装置の保守時に用いられる１つの点検作業台を備えたことを特徴としている。
【０００８】
上記構成によれば、巻上機と制御装置とを近接して配置し、これら巻上機と制御装置の下方に、これら巻上機と制御装置の保守時用いられる一つの点検作業台を備え、この点検作業台を用いて両者の保守を行うようにしたため、安全に、しかも両者の保守の場合は移動を要することなく行えるという顕著な効果を達成することができる。
【発明の効果】
【０００９】
本発明によれば、巻上機と制御装置とを近接して配置し、これら巻上機と制御装置の下方に、これら巻上機と制御装置の保守時用いられる一つの点検作業台を備え、この点検作業台を用いて両者の保守を行うようにしたため、安全に、しかも両者の保守の場合は移動を要することなく行うことができるという顕著な効果を達成することができる。
【発明を実施するための最良の形態】
【００１０】
以下，本発明に係るエレベータ装置の実施形態を図に基づいて説明する。
【００１１】
図１は本発明の第１実施形態の要部構成を示す全体断面図、図２は図１の巻上機固定台近傍の拡大側面図、図３は点検作業台を巻上機固定台に収納した状態を上側から見た平面図、図４は点検作業台を組立てた時の平面図、図５は点検作業台を収納した状態を確認する収納スイッチの作動状態を示した側面図である。
【００１２】
図において、１は昇降路８内を人および荷物を載せて昇降する乗かご、２は乗かご１の重量を補償し、乗かご１の移動方向と反対の方向に昇降するつり合いおもり、３は乗かご１とつり合いおもりとを懸架している主索、４は主索３を介して乗かご１とつり合いおもり２とを駆動し昇降させる巻上機で、この巻上機４は昇降路８内下方に形成されるピット８ａ底面より立設した巻上機固定台５に固定されている。６は乗かご１を垂直方向へ案内するかご用ガイドレール、７はつり合いおもり２を垂直方向へ案内するつり合いおもり用ガイドレール、１０は巻上機４に近接して設けられた制御装置、９は巻上機固定台５設けられた空所５ａ内に、折り畳み収納された点検作業台で、巻上機４及び制御装置１０の保守作業時に組立てられる。そして、この点検作業台９は、図２に示すように、保守作業者１３が乗る足場となる踏板９ａ、この踏板９ａと巻上機固定台５とを連結する受け材９ｂ、および踏板９ａにかかる荷重を支持する支え棒９ｃから成っている。
【００１３】
次に、昇降路８下方に配置された巻上機４、制御装置１０を保守する時の手順について説明する。保守作業者１３はピット８ａに入り、巻上機固定台５に収納された点検作業台９の踏板９ａを回動させ水平にした状態で、あらかじめ切り欠きを設けた受け材９ｂに支え棒９ｃを挿入し、点検作業台９を組み立てる。その後、乗降用ステップ１１を踏板９ａに立て掛けて、点検作業台９上面に乗り、巻上機４及び制御装置１０の保守作業を行う。保守作業終了後、上述した手順と逆の方法で点検作業台９を巻上機固定台５の空所５ａに収納する。
【００１４】
ここで、図３は点検作業台９を収納した状態を上側から見た状態を示す。図３に示すように平常時にあって点検作業台９は巻上機固定台５の空所５ａに収納されているため、かご１の昇降を妨げることはない。また、保守作業員がピット８ａ内の移動およびピット８ａ底面から手の届く範囲の機器を点検する際、点検作業台９が邪魔となることはない。さらに、図５に示すように、受け材９ｂに収納確認スイッチ１２を設けることにより、点検作業台９が収納されていないときの乗かご１の平常運転を阻止し、万一の場合においても乗かご１が動くことがなく、保守作業員および乗かご１内の乗客の安全を図ることができる。
【図面の簡単な説明】
【００１５】
【図１】図１は本発明の第１実施形態の要部構成を示す全体断面図である。
【図２】図１の巻上機固定台近傍の拡大側面図である。
【図３】点検作業台を巻上機固定台に収納した状態を上側から見た平面図である。
【図４】点検作業台を組立てた時の平面図である。
【図５】点検作業台を収納した状態を確認する収納スイッチの作動状態を示した側面図である。
【符号の説明】
【００１６】
１    乗かご
２    つり合いおもり
３    主索
４    巻上機
５    巻上機固定台
６    かご用ガイドレール
７    つり合いおもり用ガイドレール
８    昇降路
９    点検作業台
９ａ  踏板
９ｂ  受け材
９ｃ  支え棒
１０  制御装置
【図１】
2005104660.tif 000003
【図２】
2005104660.tif 000004
【図３】
2005104660.tif 000005
【図４】
2005104660.tif 000006
【図５】
2005104660.tif 000007